(57)【要約】      （修正有）【課題】環境に優しく省エネ、電源不要、ファンの騒音や振動の干渉がなく、電子機器への安定した取り付けが可能な流体ラジエーターを提供する。【解決手段】流体ラジエーターは、ラジエーター本体１及び複数の吸着部品２を具備する。ラジエーター本体は動作流体を吸収するための複数の孔隙１１を有する多孔性構造体であり、動作流体は液体またはガスである。複数の吸着部品はラジエーター本体の第１の表面１２に固定され、ポリマー材料を含み、フレークコロイドに形成され、ラジエーター本体を電子装置の外面に吸着し固定する。吸着部品の厚み方向における電子装置との隙間は蒸発キャビティとなり、ラジエーター本体から熱を吸収して蒸発して排出させることにより、快速の放熱機能を果たす。ラジエーター本体そのものは軽いので、複数の吸着部品の強い吸着力によって、電子装置に安定的に吸着される。【選択図】図２
0003231172.tif 000002
【実用新案登録請求の範囲】
【請求項１】
ラジエーター本体及び複数の吸着部品を具備する流体ラジエーターであって、
前記ラジエーター本体は少なくとも一部に、複数の孔隙を有する多孔性構造体が含まれ、前記複数の孔隙は動作流体を吸収するために用いられ、前記ラジエーター本体は、第１の表面及び第２の表面を有し、前記第１の表面及び前記第２の表面は、前記ラジエーター本体の正反対面に位置し、
前記複数の吸着部品は、前記ラジエーター本体の第１の表面の一部に固定され、前記複数の吸着部品はポリマー材料を含み、前記複数の吸着部品はフレークコロイドに形成され、
前記ラジエーター本体は、前記複数の吸着部品によって、電子装置の外面に吸着して固定され、前記第１の表面が前記電子装置の外面に近接し、かつ、前記複数の吸着部品は、前記ラジエーター本体の第１の表面と前記電子装置の外面との間に介在することにより、前記ラジエーター本体の第１の表面と前記電子装置の外面との間に蒸発キャビティが形成され、前記ラジエーター本体における動作流体は、前記電子装置による熱を吸収して気体されることにより、前記ラジエーター本体を通して前記電子装置による熱を吸収して蒸発させ、排出させる、ことを特徴とする流体ラジエーター。
【請求項２】
前記多孔性構造体は珪藻土である、請求項１に記載の流体ラジエーター。
【請求項３】
前記第１の表面は平面である、請求項１または２に記載の流体ラジエーター。
【請求項４】
前記ラジエーター本体の縁部における前記第２の表面寄りの部分に、ベベルが配置され、前記ベベルは前記ラジエーター本体の縁部全周にわたって配置される、請求項１〜３に記載の流体ラジエーター。
【請求項５】
前記ラジエーター本体は長方形に形成され、かつ、前記複数の吸着部品は長方形に形成され、前記複数の吸着部品は前記第１の表面において、前記ラジエーター本体の四角に配置される、請求項１〜４に記載の流体ラジエーター。
【請求項６】
前記吸着部品の厚みは０．５ｍｍ〜１．５ｍｍである、請求項１〜５に記載の流体ラジエーター。
【請求項７】
前記複数の吸着部品は炭酸カルシウムを含む合成コロイドである、請求項１〜６に記載の流体ラジエーター。
【請求項８】
前記複数の吸着部品は、前記第１の表面に、前記ラジエーター本体の縁部寄りに配置される、請求項１〜７に記載の流体ラジエーター。
【考案の詳細な説明】
【技術分野】
【０００１】
本考案は、流体ラジエーターに関し、特に電子装置の外面に吸着でき、電子装置の放熱を向上するための流体ラジエーターに関する。
【背景技術】
【０００２】
近年、高速コンピューティングの発展やノートパソコンやモバイル機器の高密度集積化、マルチウィンドウワークやゲーム・エンターテイメントの需要に伴い、より高速なコンピュータ性能、より大型の充電池、高度な放熱装置が求められている。携帯電話やノートパソコン、タブレットなどの電子機器は、内部温度の上昇により性能が低下し、放熱装置等を別設する必要となる。既存技術では、すべての別設放熱装置にファンが使用されており、その結果、追加のエネルギー消費、ファンの騒音および振動が発生してしまう。また、従来の放熱装置は重く、電子機器に取り付けるためにクリップや吸盤を使用しているため、安定性がなく、簡単に落下してしまうという問題があった。
【考案の概要】
【考案が解決しようとする課題】
【０００３】
本考案が解決しようとする課題では、既存技術の不足に対して、環境に優しく省エネ、電源不要、ファンの騒音や振動の干渉がなく、電子機器への安定した取り付けが可能である、液体を動作流体とした場合に当たって、水冷式ラジエーターとして取り扱われて、空気を動作流体として場合に当たって空冷式ラジエーターとして取り扱われる流体ラジエーターを提供することである。
【課題を解決するための手段】
【０００４】
上記の技術的課題を解決するために、本考案は、ラジエーター本体及び複数の吸着部品を具備する流体ラジエーターを提供する。前記ラジエーター本体は多孔性構造体であり、前記ラジエーター本体は複数の孔隙を有し、前記複数の孔隙は液体またはガスの動作流体を吸収するために用いられ、前記ラジエーター本体は第１の表面及び第２の表面を有し、前記第１の表面及び前記第２の表面は前記ラジエーター本体において正反対の面となる。前記複数の吸着部品は、前記ラジエーター本体の第１の表面に固定され、前記複数の吸着部品はポリマー材料を含みながら、フレークコロイドを呈する。なかでも、前記ラジエーター本体は、前記複数の吸着部品によって、電子装置の外面に吸着して固定される。前記第１の表面は、前記電子装置の外面よりに配置され、前記複数の吸着部品は、前記ラジエーター本体の第１の表面と前記電子装置の外面との間に介在することにより、前記ラジエーター本体の第１の表面と前記電子装置の外面との間に蒸発キャビティとして形成させる。前記ラジエーター本体における動作流体は、前記電子装置からの熱を吸収して蒸発させることが可能であるため、前記複数の孔隙の動作流体が蒸発されると、前記電子装置からの熱は、前記ラジエーター本体により吸収され排出されることができる。
【０００５】
好ましくは、前記ラジエーター本体は、珪藻土で構成される多孔性構造体である。
【０００６】
好ましくは、前記吸着部品ごとの厚みは０．５ｍｍ〜１．５ｍｍである。
【０００７】
好ましくは、前記複数の吸着部品は、炭酸カルシウムを含む合成コロイドである。
【考案の効果】
【０００８】
本考案による有益な効果としては、本考案が提供する流体ラジエーターは、ラジエーター本体及び複数の吸着部品を含む。前記ラジエーター本体は多孔性構造体であり、多孔性構造体における前記複数の孔隙は動作流体を吸収することができる。前記複数の吸着部品がラジエーター本体の第１の表面に固定される。前記複数の吸着部品は、ポリマー材料を含みながら、フレークコロイドを呈する。前記ラジエーター本体は、前記複数の吸着部品によって電子装置の外面に吸着され、ラジエーター本体によって、快速放熱の目的を果たすために電子装置による熱を吸収して排出できる。本考案は材料の特性を効果的に利用することにより、構造が簡単で、環境に優しく省エネ、電源不要、ファンの騒音や振動の干渉がないのみならず、前記ラジエーター本体そのものが軽いため、吸着部品により、簡単で、電子機器に脱落難いように安定的に取り付けることが可能である。
【図面の簡単な説明】
【０００９】
【図１】図１本考案に係る流体ラジエーターを示す斜視図である。
【図２】本考案に係る流体ラジエーターを別の視角から示す斜視図である。
【図３】本考案係る流体ラジエーターを示す上面図である。
【図４】本考案に係る流体ラジエーターの使用状態を示す斜視図である。
【図５】本考案に係る流体ラジエーターの使用状態を示す上面模式図である。
【考案を実施するための形態】
【００１０】
考案の特徴及び技術内容がより一層分かるように、以下本考案に関する詳細な説明と添付図面を参照する。しかし、提供される添付図面は参考と説明のために提供するものに過ぎず、本考案の実用新案登録請求の範囲を制限するためのものではない。
【００１１】
下記より、具体的な実施例で本考案が開示する実施形態を説明する。当業者は本明細書の公開内容により本考案のメリット及び効果を理解し得る。本考案は他の異なる実施形態により実行又は応用できる。本明細書における各細節も様々な観点又は応用に基づいて、本考案の精神逸脱しない限りに、均等の変形と変更を行うことができる。また、本考案の図面は簡単で模式的に説明するためのものであり、実際的な寸法を示すものではない。以下の実施形態において、さらに本考案に係る技術事項を説明するが、公開された内容は本考案を限定するものではない。
［実施形態］
【００１２】
図１乃至図３を参照されたい。本考案は、携帯電話、ラップトップ、タブレット等の電子装置に配置し、前記電子装置の放熱性を向上させるための流体ラジエーターを提供する。前記流体ラジエーターはラジエーター本体１及び複数の吸着部品２を含む。
【００１３】
前記ラジエーター本体１は、少なくとも一部が多孔性構造体で構成される。多孔性構造体は、液体の相変化温度を低減するために、ナノ〜ミクロンスケールの孔隙を孔隙率２５％以上含むことが好ましい。多孔性構造体としては、例えば、珪藻土であってもよいが、本考案はこの例に制限されなく、細孔によって、液体の相変化温度を低減する多孔性構造体であればよい。特定の実施形態では、前記ラジエーター本体１は珪藻土を主成分で構成されてもよいが、珪藻土の含有率については制限されない。例えば、前記ラジエーター本体１に、珪藻土は、１０ｗｔ％〜９０ｗｔ％が含まれる。即ち、前記ラジエーター本体１は珪藻土で構成される多孔性構造体を含んでもよい。その場合、前記ラジエーター本体１は複数の孔隙１１を有する。前記複数の孔隙１１はラジエーター本体１の一部又は全部にわたって分布される。前記複数の孔隙１１がラジエーター本体１にわたって分布することにより、毛細管構造が形成される。前記複数の孔隙１１は、動作流体（液体またはガス）を吸収することが可能である。なお、動作流体を前記複数の孔隙１１に貯めるように、適量の動作流体をラジエーター本体１にかけてもよい。
【００１４】
前記珪藻土は、珪藻の細胞壁から堆積した生化学的堆積岩で、密度が低く、気孔率が高く、吸水力が強い等の特性を持っている。本実施形態において、前記ラジエーター本体１は片状またはプレート状に形成されるが、その形状については、本考案では制限されなく、適用する電子装置に応じて変更し得る。前記ラジエーター本体１は長方形、円形、または別の形状に形成されてもよい。本実施形態では、前記ラジエーター本体１は長方形に形成される。
【００１５】
前記ラジエーター本体１は、第１の表面１２及び第２の表面１３を有し、第１の表面１２及び第２の表面１３は、それぞれラジエーター本体１の正反対面に位置する。好ましくは、前記第１の表面１２が平面に呈してもよい。前記第１の表面１２は、電子装置における熱源の箇所に対応する外面に近接して配置されてもよい。前記第１の表面１２は、電子装置による熱を吸収することにより、高温端となる。前記第２の表面１３は平面に形成されてもよい。第１の表面１２と第２の表面１３とは互いに平行になってもよいが、この例に制限されない。例えば、前記第２の表面１３に凹凸、斜面等様々な変化が設置されてもよい。本実施形態において、前記ラジエーター本体１の縁部における第２の表面１３寄りの部分にベベル１４が配置されてもよい。ラジエーター本体１の鋭い縁部が電子装置を傷つけるのから避けるために、前記ベベル１４はラジエーター本体１の縁部全周にわたって配置されてもよい。
【００１６】
前記複数の吸着部品２はラジエーター本体１の第１の表面１２に固定される。好ましくは、前記複数の吸着部品２は、ラジエーター本体１の第１の表面１２において、ラジエーター本体１の縁部に近接するように配置される。前記複数の吸着部品２は、ポリマー材料を含みながら、フレークコロイドとして形成される。前記複数の吸着部品２は、合成コロイドとして形成するために、高分子ポリマーで構成されてもよいが、高分子ポリマーと他の材料の混合物で高位性されてもよい。本実施形態において、前記複数の吸着部品２は炭酸カルシウムをさらに含む。すなわち、前記複数の吸着部品２は、炭酸カルシウムを含むフレークコロイドである。吸着部品２の材料を変更することにより、吸着部品２の引張強度、耐引裂性、硬度等を向上させることができる。前記複数の吸着部品２の形状については、本考案では制限されず、長方形、円形または他の形状等に形成し得る。本実施形態において、前記複数の吸着部品２は、長方形をなしている。かつ、前記複数の吸着部品２は、前記ラジエーター本体１の形状に対応するように、第１の表面１２に、ラジエーター本体１の四角寄りに配置される。ラジエーター本体１の第１の表面１２において、前記複数の吸着部品２が配置される位置や数量等は実際のニーズに応じて変更でき、本考案では制限されない。好ましくは、吸着部品２の厚みｔが０．５ｍｍ〜１．５ｍｍであり、より好ましくは、１ｍｍである。なお、吸着部品２の厚みｔについては、本考案では制限されず、実際のニーズに応じて変更できる。前記複数の吸着部品２は、ラジエーター本体１の第１の表面１２に配置される。ラジエーター本体１は多孔性構造体であるため、吸着部品２が吸着部品２のコロイドは、ラジエーター本体１内に浸入でき、吸着部品２とラジエーター本体１との間に優れた結合力を与えることにより、吸着部品２を、安定的にラジエーター本体１に固定することができる。
【００１７】
図４及び図５に示すように、本考案に係る前記ラジエーター本体１は、前記複数の吸着部品２によって、携帯電話、ラップトップ及びタブレット等の電子装置５の外面５１に吸着できる。好ましくは、ラジエーター本体１が、電子装置５における熱源と対応して配置される。前記電子装置５の外面５１が平坦面であるのが一般的であるため、前記複数の吸着部品２は安定的にそれに吸着でき、かつ、吸着部品２のコロイドは、電子装置５に浸入されず、吸着部品２は吸盤よりも大きい吸引力を生じることができる。吸着部品２とラジエーター本体１との結合力は、吸着部品２と電子装置５との結合力よりも大きいため、力をかければ、吸着部品２と電子装置５の外面５１とを切り離せることが可能である。前記複数の吸着部品２は厚みを有するため、ラジエーター本体１の第１の表面１２と電子装置５の外面５１との間に蒸発キャビティ（隙間）３を形成するように、ジエーター本体１の第１の表面１２を電子装置５の外面５１から浮かせる効果もある。蒸発キャビティ（隙間）３によれば、凝縮水を吸収してリサイクルできるようにする。そのように、本考案の流体ラジエーターは、水冷式及び空冷式の放熱効果を両立する。すなわち、放熱仕組みがデュアルモードとなり、動作流体が加わっていない時に当たって、空冷式ラジエーター（Ａｉｒ  Ｃｏｏｌｅｒ）として使用され、動作流体（水）が加わった時に当たって流体ラジエーター（Ｌｉｑｕｉｄ  Ｃｏｏｌｅｒ）として使用される。
【００１８】
また、前記複数の吸着部品２は厚みを有しると共に、第１の表面１２に、ラジエーター本体１の四角又は縁部よりに配置されるため、ラジエーター本体１の四角または縁部を保護する機能も果たせる。そのように、ラジエーター本体１の四角または縁部に電子装置５が傷つけられることから避けることができる。また、前記流体ラジエーターを外すときは、ちょっとした力をかければ、前記複数の吸着部品２を電子装置５の外面５１から取り外すことにより、前記流体ラジエーターと電子装置５とを切り離せることが可能である。
【００１９】
前記ラジエーター本体１は、ナノ多孔質性、低密度、高表面積の特徴を有しており、毛細管構造に優れている。動作流体（例えば、水）が前記ラジエーター本体１の毛細管構造に充填されている時、動作流体はナノサイズの孔隙に溜められて、前記毛細管構造による毛細管現象によりその流動効率が上がり、内部および外部の湿気または湿気の差がバランスに達するように、動作流体と管壁の付着力、及び動作流体の凝集力によって、動作流体は、毛細管の管壁に沿って乾燥した表面に向かって自動的に移動するようになる。
【００２０】
動作流体（例えば、水）を前記ラジエーター本体１の毛細管構造に掛ければ、液体と気体の状態変化によって、ラジエーター本体１の一方側に吸収された電子装置５による熱を蒸発して、前記複数の孔隙１１（毛細管構造）を通して、ラジエーター本体１の他方側（低温端）に移転させることができる。かつ、前記複数の孔隙１１における動作流体は快速的に蒸発され、湿気を快速的に放出されるため、前記ラジエーター本体１は熱を快速的に吸収して排出できる。そのように、外気との湿気の平衡を取るために、前記ラジエーター本体１が動作流体を快速的に吸収して、移転させ、拡散させ、揮発させてから、外部へ放出させることができる。本考案に係るラジエーター本体１のナノ多孔質性は快速的に外気との湿気の平衡を取るために、優れた放熱効果、特に携帯式電子装置に対する放熱効果をうまく果たすことができり。
【００２１】
本実施形態において、前記動作流体は水である。前記ラジエーター本体１は水をすばやく吸収することができます。前記ラジエーター本体１は、予めに動作流体を吸収しておいてもよい。前記ラジエーター本体１は自身の重量の何倍の重量となる動作流体を吸収でき、さらに、ラジエーター本体１は保温機能を有することで、吸収した動作流体の温度を確保できる。前記ラジエーター本体１は湿気を調節可能であり、ラジエーター本体１の周りの温度が上がった時、珪藻土に特有のナノ多孔質性は湿気を快速に放出することができる。本実施形態において、前記ラジエーター本体１は、ナノ多孔質性を有するため、騒音を抑制することができる。そのように、電子装置５からのファンの騒音を抑制することができる。本実施形態において、前記ラジエーター本体１はナノ多孔質性を有するため、雑味がラジエーター本体１のナノ孔隙に収着されることにより、消臭の機能も果たすことができ、電子機器５の高速動作時の高温による匂いを抑制することができる。
［実施形態による有益な効果］
【００２２】
本考案による有益な効果では、本考案が提供する流体ラジエーターは、ラジエーター本体及び複数の吸着部品を含む。前記ラジエーター本体は多孔性構造体であり、前記複数の孔隙は動作流体を吸収するために用いられることが可能である。前記複数の吸着部品は、ラジエーター本体の第１の表面に固定される。前記複数の吸着部品はポリマー材料を含みながら、フレークコロイドに形成されている。前記ラジエーター本体は、前記複数の吸着部品によって、電子装置の外面に吸収して固定されることができる。本考案は効果的に材料の特性を利用し、急速な熱放散を提供するためにラジエーター本体を通した熱を吸収し、蒸発でき、簡単な構造、省エネ、汚染無し（既存の吸盤かカートリッジは、複雑な構造、プラスチック、高い汚染等の問題を抱えている）、電源無し、ファンの騒音無しおよび振動干渉のない、軽量化な前記ラジエーター本体を提供することができる。前記複数の吸着部品の強力な吸着力によって、電子装置に簡単に取り付けいることができる。また、ラジエーター本体の第１の表面と電子装置の外面との間に蒸発キャビティが形成されるため、ラジエーター本体は、電子装置の外面と密着しない（既存のラジエーター本体は電子装置の外面と密着しているため、熱の発散はできない）ため、前記蒸発キャビティは、ラジエーター本体を通して、熱を効率的に吸収して蒸発でき、即ち、能動的に放熱することができる。
【００２３】
以上に開示された内容は本考案の好ましい実施形態に過ぎず、これにより本考案の実用新案登録請求の範囲を制限するものではない。そのため、本考案の明細書及び添付図面の内容に基づき為された等価の技術変形は、全て本考案の実用新案登録請求の範囲に含まれるものとする。
【符号の説明】
【００２４】
１：ラジエーター本体
１１：孔隙
１２：第１の表面
１３：第２の表面
１４：ベベル
ｔ：厚み
２：  吸着部品
３：蒸発キャビティ
５：電子装置
５１：外面
【図１】
0003231172.tif 000003
【図２】
0003231172.tif 000004
【図３】
0003231172.tif 000005
【図４】
0003231172.tif 000006
【図５】
0003231172.tif 000007